(57)【特許請求の範囲】
【請求項１】
複数の科目ごとに割り当てられた、それぞれで異なるコード化パターンに関する定義情報を記憶する記憶手段と、
複数の曜日の複数の時限ごとに、科目を入力させるための入力画面を表示させる入力画面表示手段と、
前記記憶手段に記憶された前記定義情報に基づいて、前記入力画面によって複数の曜日の複数の時限ごとに入力された科目のそれぞれに割り当てられたコード化パターンと、前記入力された科目の名称とを、時間割表として印刷させるための印刷指示を出力する印刷指示手段と、を備えることを特徴とするコンピュータ装置。
【請求項２】
複数の曜日の複数の時限ごとに割り当てられた、それぞれで異なるコード化パターンに関する定義情報を記憶する記憶手段と、
複数の曜日の複数の時限ごとに、科目を入力させるための入力画面を表示させる入力画面表示手段と、
前記記憶手段に記憶された前記定義情報に基づいて、複数の曜日の複数の時限ごとに割り当てられたコード化パターンと、前記入力画面によって複数の曜日の複数の時限ごとに入力された科目の名称とを、時間割表として印刷させるための印刷指示を出力する印刷指示手段と、
前記入力画面によって複数の曜日の複数の時限ごとに入力された科目を、それぞれ、前記定義情報における複数の曜日の複数の時限ごとに割り当てられたコード化パターンに関連付けて記憶させる関連付け手段と、を備えることを特徴とするコンピュータ装置。
【請求項３】
電子ペンが読み取ったコード化パターンに関する記入情報を受信する受信手段と、
前記印刷指示手段による前記印刷指示に応じて印刷された前記時間割表への、前記電子ペンによる記入に対応する前記記入情報に基づいて、前記電子ペンによって記入された科目を特定する科目特定手段と、
コード化パターンが形成されたノート用紙への前電子ペンによる記入に対応する前記記入情報に基づいて、前記電子ペンによって前記ノート用紙に記入された手書きストロークを、前記科目特定手段が特定した科目に対応付けたファイルに記憶させる保存指示手段と、を更に備えることを特徴とする請求項１又は２に記載のコンピュータ装置。
【請求項４】
前記電子ペンによって前記時間割表に記入された際に、前記科目特定手段が特定した科目に対応付けられた前記ファイルを開き、当該ファイルに記憶された前記手書きストロークを表示させるストローク表示手段を更に備えることを特徴とする請求項３に記載のコンピュータ装置。
【請求項５】
前記保存指示手段は、前記電子ペンによって前記ノート用紙に記入された前記手書きストロークを、前記ノート用紙のページに対応付けて前記ファイルに記憶させ、
前記ストローク表示手段は、前記ファイルに記憶された前記ページの中の所定のページを表示させることを特徴とする請求項４に記載のコンピュータ装置。
【請求項６】
前記ストローク表示手段は、前記電子ペンによって前記ノート用紙に前記手書きストロークが記入された際に、前記ノート用紙に対応するページに前記手書きストロークを描画させることを特徴とする請求項４又は５に記載のコンピュータ装置。
【請求項７】
前記科目特定手段は、前記電子ペンによって前記時間割表の科目に記入された際に、前記科目を特定する共に、当該科目に対応する曜日及び時限を特定し、
前記保存指示手段は、前記電子ペンによって前記ノート用紙に記入された前記手書きストロークを、前記科目特定手段が特定した前記科目、前記曜日及び前記時限に対応付けて記憶させ、
前記ストローク表示手段は、前記電子ペンによって前記時間割表の前記科目に記入された際に、前記科目特定手段が特定した前記科目、前記曜日及び前記時限に対応付けられた前記手書きストロークを表示させることを特徴とする請求項４乃至６のいずれか一項に記載のコンピュータ装置。
【請求項８】
前記ストローク表示手段は、前記時間割表において曜日及び時限が同じ科目に前記電子ペンによって連続して記入された場合、前記曜日及び前記時限に記入された前記手書きストロークを過去に遡って表示させることを特徴とする請求項７に記載のコンピュータ装置。
【請求項９】
前記時間割表は、複数の曜日ごとに割り当てられた、それぞれで異なるコード化パターンが印刷され、
前記ストローク表示手段は、前記電子ペンによって前記時間割表の前記曜日に記入された際に、当該曜日に行われる全ての科目について記入された前記手書きストロークを並べて表示させることを特徴とする請求項７又は８に記載のコンピュータ装置。
【請求項１０】
前記ストローク表示手段は、
並べて表示されている複数の科目の中からユーザが科目を選択した場合に、当該科目について記入された手書きストロークをアクティブ表示させると共に、
ユーザの選択に応じて、現在アクティブ表示されている科目の手書きストロークから、（１）前記現在アクティブ表示されている科目に対応する講義からみて前回の講義に記入された手書きストローク、（２）前記現在アクティブ表示されている科目に対応する講義からみて一週間前の講義で記入された手書きストローク、（３）前記現在アクティブ表示されている科目に対応する講義からみて次の講義で記入された手書きストローク、（４）前記現在アクティブ表示されている科目に対応する講義からみて次の週の講義で記入された手書きストロークのうちのいずれかに、表示させる手書きストロークを切り替えることを特徴とする請求項９に記載のコンピュータ装置。
【請求項１１】
前記ストローク表示手段は、ユーザの選択に応じて、現在表示されている曜日について記入された手書きストロークから、（１）前記現在表示されている曜日の一つ前の曜日に行われた全ての科目について記入された手書きストローク、（２）前記現在表示されている曜日の一週間前の同じ曜日に行われた全ての科目について記入された手書きストローク、（３）前記現在表示されている曜日の次の曜日に行われた全ての科目について記入された手書きストローク、（４）前記現在表示されている曜日の次の週の同じ曜日に行われた全ての科目について記入された手書きストロークのうちのいずれかに、表示させる手書きストロークを切り替えることを特徴とする請求項９に記載のコンピュータ装置。
【請求項１２】
前記ストローク表示手段は、既に手書きストロークが記入された前記ノート用紙に前記電子ペンによって手書きストロークが記入された場合、前記ノート用紙に対応するページが記憶された前記ファイルを開いて、前記ノート用紙に対応するページを表示させると共に当該ページに前記手書きストロークを描画させることを特徴とする請求項４乃至１１のいずれか一項に記載のコンピュータ装置。
【請求項１３】
前記保存指示手段は、未だ手書きストロークが記入されていない前記ノート用紙に前記電子ペンによって手書きストロークが記入された場合、開いている前記ファイルに記憶されたページに連続する、前記ノート用紙に対応する新たなページを作成して、前記手書きストロークを前記新たなページに対応付けて前記ファイルに記憶させ、
前記ストローク表示手段は、未だ手書きストロークが記入されていない前記ノート用紙に前記電子ペンによって手書きストロークが記入された場合、前記ノート用紙に対応する新たなページを表示させると共に当該ページに前記手書きストロークを描画させることを特徴とする請求項４乃至１２のいずれか一項に記載のコンピュータ装置。
【請求項１４】
未だ手書きストロークが記入されていない前記ノート用紙に前記電子ペンによって手書きストロークが記入された場合において、前記ファイルが開いていない場合に、前記時間割表を用いた前記科目の指定がなされていない旨を報知する報知手段を更に備えることを特徴とする請求項３乃至１３のいずれか一項に記載のコンピュータ装置。
【請求項１５】
前記保存指示手段は、前記科目特定手段が特定した前記科目に対応するファイルが記憶されていない場合、当該科目に対応付けた新たなファイルを作成することを特徴とする請求項３乃至１４のいずれか一項に記載のコンピュータ装置。
【請求項１６】
前記複数の科目に対応する複数のファイルが格納されるフォルダのアイコンを表示させると共に、前記フォルダのアイコンが選択された際に、前記複数のファイルのアイコンを表示させる手段を更に備えることを特徴とする請求項３乃至１５のいずれか一項に記載のコンピュータ装置。
【請求項１７】
コンピュータ装置によって実行されるプログラムであって、
複数の科目ごとに割り当てられた、それぞれで異なるコード化パターンに関する定義情報を記憶する記憶手段、
複数の曜日の複数の時限ごとに、科目を入力させるための入力画面を表示させる入力画面表示手段、
前記記憶手段に記憶された前記定義情報に基づいて、前記入力画面によって複数の曜日の複数の時限ごとに入力された科目のそれぞれに割り当てられたコード化パターンと、前記入力された科目の名称とを、時間割表として印刷させるための印刷指示を出力する印刷指示手段、として前記コンピュータ装置を機能させることを特徴とするプログラム。
【請求項１８】
コンピュータ装置によって実行されるプログラムであって、
複数の曜日の複数の時限ごとに割り当てられた、それぞれで異なるコード化パターンに関する定義情報を記憶する記憶手段、
複数の曜日の複数の時限ごとに、科目を入力させるための入力画面を表示させる入力画面表示手段、
前記記憶手段に記憶された前記定義情報に基づいて、複数の曜日の複数の時限ごとに割り当てられたコード化パターンと、前記入力画面によって複数の曜日の複数の時限ごとに入力された科目の名称とを、時間割表として印刷させるための印刷指示を出力する印刷指示手段、
前記入力画面によって複数の曜日の複数の時限ごとに入力された科目を、それぞれ、前記定義情報における複数の曜日の複数の時限ごとに割り当てられたコード化パターンに関連付けて記憶させる関連付け手段、として前記コンピュータ装置を機能させることを特徴とするプログラム。
【請求項１９】
電子ペンが読み取ったコード化パターンに関する記入情報を受信する受信手段、
前記印刷指示手段による前記印刷指示に応じて印刷された前記時間割表への、前記電子ペンによる記入に対応する前記記入情報に基づいて、前記電子ペンによって記入された科目を特定する科目特定手段、
コード化パターンが形成されたノート用紙への前電子ペンによる記入に対応する前記記入情報に基づいて、前記電子ペンによって前記ノート用紙に記入された手書きストロークを、前記科目特定手段が特定した科目に対応付けたファイルに記憶させる保存指示手段、として前記コンピュータ装置を更に機能させることを特徴とする請求項１７又は１８に記載のプログラム。
【請求項２０】
前記電子ペンによって前記時間割表に記入された際に、前記科目特定手段が特定した科目に対応付けられた前記ファイルを開き、当該ファイルに記憶された前記手書きストロークを表示させるストローク表示手段として前記コンピュータ装置を更に機能させることを特徴とする請求項１９に記載のプログラム。
【請求項２１】
前記保存指示手段は、前記電子ペンによって前記ノート用紙に記入された前記手書きストロークを、前記ノート用紙のページに対応付けて前記ファイルに記憶させ、
前記ストローク表示手段は、前記ファイルに記憶された前記ページの中の所定のページを表示させることを特徴とする請求項２０に記載のプログラム。
【請求項２２】
前記ストローク表示手段は、前記電子ペンによって前記ノート用紙に前記手書きストロークが記入された際に、前記ノート用紙に対応するページに前記手書きストロークを描画させることを特徴とする請求項２０又は２１に記載のプログラム。
【請求項２３】
前記科目特定手段は、前記電子ペンによって前記時間割表の科目に記入された際に、前記科目を特定する共に、当該科目に対応する曜日及び時限を特定し、
前記保存指示手段は、前記電子ペンによって前記ノート用紙に記入された前記手書きストロークを、前記科目特定手段が特定した前記科目、前記曜日及び前記時限に対応付けて記憶させ、
前記ストローク表示手段は、前記電子ペンによって前記時間割表の前記科目に記入された際に、前記科目特定手段が特定した前記科目、前記曜日及び前記時限に対応付けられた前記手書きストロークを表示させることを特徴とする請求項２０乃至２２のいずれか一項に記載のプログラム。
【請求項２４】
前記ストローク表示手段は、前記時間割表において曜日及び時限が同じ科目に前記電子ペンによって連続して記入された場合、前記曜日及び前記時限に記入された前記手書きストロークを過去に遡って表示させることを特徴とする請求項２３に記載のプログラム。
【請求項２５】
前記時間割表は、複数の曜日ごとに割り当てられた、それぞれで異なるコード化パターンが印刷され、
前記ストローク表示手段は、前記電子ペンによって前記時間割表の前記曜日に記入された際に、当該曜日に行われる全ての科目について記入された前記手書きストロークを並べて表示させることを特徴とする請求項２３又は２４に記載のプログラム。
【請求項２６】
前記ストローク表示手段は、
並べて表示されている複数の科目の中からユーザが科目を選択した場合に、当該科目について記入された手書きストロークをアクティブ表示させると共に、
ユーザの選択に応じて、現在アクティブ表示されている科目の手書きストロークから、（１）前記現在アクティブ表示されている科目に対応する講義からみて前回の講義に記入された手書きストローク、（２）前記現在アクティブ表示されている科目に対応する講義からみて一週間前の講義で記入された手書きストローク、（３）前記現在アクティブ表示されている科目に対応する講義からみて次の講義で記入された手書きストローク、（４）前記現在アクティブ表示されている科目に対応する講義からみて次の週の講義で記入された手書きストロークのうちのいずれかに、表示させる手書きストロークを切り替えることを特徴とする請求項２５に記載のプログラム。
【請求項２７】
前記ストローク表示手段は、ユーザの選択に応じて、現在表示されている曜日について記入された手書きストロークから、（１）前記現在表示されている曜日の一つ前の曜日に行われた全ての科目について記入された手書きストローク、（２）前記現在表示されている曜日の一週間前の同じ曜日に行われた全ての科目について記入された手書きストローク、（３）前記現在表示されている曜日の次の曜日に行われた全ての科目について記入された手書きストローク、（４）前記現在表示されている曜日の次の週の同じ曜日に行われた全ての科目について記入された手書きストロークのうちのいずれかに、表示させる手書きストロークを切り替えることを特徴とする請求項２５に記載のプログラム。
【請求項２８】
前記ストローク表示手段は、既に手書きストロークが記入された前記ノート用紙に前記電子ペンによって手書きストロークが記入された場合、前記ノート用紙に対応するページが記憶された前記ファイルを開いて、前記ノート用紙に対応するページを表示させると共に当該ページに前記手書きストロークを描画させることを特徴とする請求項２０乃至２７のいずれか一項に記載のプログラム。
【請求項２９】
前記保存指示手段は、未だ手書きストロークが記入されていない前記ノート用紙に前記電子ペンによって手書きストロークが記入された場合、開いている前記ファイルに記憶されたページに連続する、前記ノート用紙に対応する新たなページを作成して、前記手書きストロークを前記新たなページに対応付けて前記ファイルに記憶させ、
前記ストローク表示手段は、未だ手書きストロークが記入されていない前記ノート用紙に前記電子ペンによって手書きストロークが記入された場合、前記ノート用紙に対応する新たなページを表示させると共に当該ページに前記手書きストロークを描画させることを特徴とする請求項２０乃至２８のいずれか一項に記載のプログラム。
【請求項３０】
未だ手書きストロークが記入されていない前記ノート用紙に前記電子ペンによって手書きストロークが記入された場合において、前記ファイルが開いていない場合に、前記時間割表を用いた前記科目の指定がなされていない旨を報知する報知手段として前記コンピュータ装置を更に機能させることを特徴とする請求項１９乃至２９のいずれか一項に記載のプログラム。
【請求項３１】
前記保存指示手段は、前記科目特定手段が特定した前記科目に対応するファイルが記憶されていない場合、当該科目に対応付けた新たなファイルを作成することを特徴とする請求項１９乃至３０のいずれか一項に記載のプログラム。
【請求項３２】
前記複数の科目に対応する複数のファイルが格納されるフォルダのアイコンを表示させると共に、前記フォルダのアイコンが選択された際に、前記複数のファイルのアイコンを表示させる手段として前記コンピュータ装置を更に機能させることを特徴とする請求項１９乃至３１のいずれか一項に記載のプログラム。
【発明の詳細な説明】
【技術分野】
【０００１】
本発明は、時間割表を作成するコンピュータ装置及びプログラムに関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報を端末装置に送信する。
【０００３】
特許文献２には、時間が定義されたカレンダーエリア、ＴｏＤｏリストエリア、仕事リストエリア等を含み、アノト方式のドットパターンが印刷されたカレンダー帳に、電子ペンで記入された場合に、その記入内容を電子化する技術が記載されている。また、特許文献３には、電子ペンでコンピュータを操作するためのアイコンを、ドットパターンを割り当てて用紙に印刷する技術が記載されている。
【先行技術文献】
【特許文献】
【０００４】
【特許文献１】特許第３８４２２８３号公報
【特許文献２】特許第３７６４１００号公報
【特許文献３】特開２０１１−６５２２７号公報
【発明の概要】
【発明が解決しようとする課題】
【０００５】
ところで、例えば複数の科目のそれぞれに対応付けられたコード化パターンが形成された時間割表を作成し、そのような時間割表を用いて、電子ペンによってノート用紙に記入された手書きストロークを科目ごとに分類して記憶させることができると便宜である。
そこで、本発明は、コード化パターンが形成された時間割表を適切に作成することが可能なコンピュータ装置及びプログラムを提案することを主な目的とする。
【課題を解決するための手段】
【０００６】
本発明の１つの観点では、コンピュータ装置は、複数の科目ごとに割り当てられた、それぞれで異なるコード化パターンに関する定義情報を記憶する記憶手段と、複数の曜日の複数の時限ごとに、科目を入力させるための入力画面を表示させる入力画面表示手段と、前記記憶手段に記憶された前記定義情報に基づいて、前記入力画面によって複数の曜日の複数の時限ごとに入力された科目のそれぞれに割り当てられたコード化パターンと、前記入力された科目の名称とを、時間割表として印刷させるための印刷指示を出力する印刷指示手段と、を備える。
【０００７】
上記のコンピュータ装置は、コード化パターンが形成された時間割表を作成するために好適に利用される。記憶手段は、複数の科目ごとに割り当てられた、それぞれで異なるコード化パターンに関する定義情報を記憶する。入力画面表示手段は、複数の曜日の複数の時限ごとに、ユーザに科目を入力させるための入力画面を表示させる。印刷指示手段は、記憶手段に記憶された定義情報に基づいて、入力画面によって複数の曜日の複数の時限ごとに入力された科目のそれぞれに割り当てられたコード化パターンと、当該入力された科目の名称とを、時間割表として印刷させるための印刷指示を出力する。これにより、入力画面を用いてユーザによって各曜日の各時限ごとに入力された科目に応じて、各科目に対応付けられたコード化パターンが形成された時間割表を適切に作成することが可能となる。
【０００８】
本発明の他の観点では、コンピュータ装置は、複数の曜日の複数の時限ごとに割り当てられた、それぞれで異なるコード化パターンに関する定義情報を記憶する記憶手段と、複数の曜日の複数の時限ごとに、科目を入力させるための入力画面を表示させる入力画面表示手段と、前記記憶手段に記憶された前記定義情報に基づいて、複数の曜日の複数の時限ごとに割り当てられたコード化パターンと、前記入力画面によって複数の曜日の複数の時限ごとに入力された科目の名称とを、時間割表として印刷させるための印刷指示を出力する印刷指示手段と、前記入力画面によって複数の曜日の複数の時限ごとに入力された科目を、それぞれ、前記定義情報における複数の曜日の複数の時限ごとに割り当てられたコード化パターンに関連付けて記憶させる関連付け手段と、を備える。
【０００９】
上記のコンピュータ装置では、記憶手段は、複数の曜日の複数の時限ごとに割り当てられた、それぞれで異なるコード化パターンに関する定義情報を記憶している。印刷指示手段は、このような定義情報に基づいて、複数の曜日の複数の時限ごとに割り当てられたコード化パターンと、入力画面によって複数の曜日の複数の時限ごとに入力された科目の名称とを、時間割表として印刷させるための印刷指示を出力する。これにより、各曜日の各時限ごとに異なる座標範囲のコード化パターンが形成された時間割表を適切に作成することが可能となる。他方で、関連付け手段は、入力画面によって複数の曜日の複数の時限ごとに入力された科目を、それぞれ、定義情報における複数の曜日の複数の時限ごとに割り当てられたコード化パターンに関連付けて記憶させる。これにより、各曜日の各時限ごとに割り当てられたコード化パターンと、各曜日の各時限ごとに入力された科目との対応関係を容易に把握することができる。
【００１０】
上記のコンピュータ装置の一態様では、電子ペンが読み取ったコード化パターンに関する記入情報を受信する受信手段と、前記印刷指示手段による前記印刷指示に応じて印刷された前記時間割表への、前記電子ペンによる記入に対応する前記記入情報に基づいて、前記電子ペンによって記入された科目を特定する科目特定手段と、コード化パターンが形成されたノート用紙への前電子ペンによる記入に対応する前記記入情報に基づいて、前記電子ペンによって前記ノート用紙に記入された手書きストロークを、前記科目特定手段が特定した科目に対応付けたファイルに記憶させる保存指示手段と、を更に備える。
【００１１】
この態様によれば、電子ペンによって記入された手書きストロークを、ユーザによって時間割表を用いて指定された科目に対応付けて適切に記憶させることができる。よって、電子ペンによってノート用紙に記入された手書きストロークを、複数の科目ごとに分類して適切に記憶させることができる。つまり、複数の科目ごとに分類して、手書きストロークを電子化することができる。
【００１２】
上記のコンピュータ装置の他の一態様では、前記電子ペンによって前記時間割表に記入された際に、前記科目特定手段が特定した科目に対応付けられた前記ファイルを開き、当該ファイルに記憶された前記手書きストロークを表示させるストローク表示手段を更に備える。この態様によれば、時間割表によって指定された科目について記入された手書きストロークを、適切に表示させることができる。
【００１３】
上記のコンピュータ装置の他の一態様では、前記保存指示手段は、前記電子ペンによって前記ノート用紙に記入された前記手書きストロークを、前記ノート用紙のページに対応付けて前記ファイルに記憶させ、前記ストローク表示手段は、前記ファイルに記憶された前記ページの中の所定のページを表示させる。この態様によれば、ノート用紙のページに対応付けて手書きストロークを適切に記憶させることができると共に、ノート用紙に応じたページを適切に表示させることができる。
【００１４】
上記のコンピュータ装置の他の一態様では、前記ストローク表示手段は、前記電子ペンによって前記ノート用紙に前記手書きストロークが記入された際に、前記ノート用紙に対応するページに前記手書きストロークを描画させる。この態様によれば、記入された手書きストロークをリアルタイムで適切に描画させることができる。
【００１５】
上記のコンピュータ装置の他の一態様では、前記科目特定手段は、前記電子ペンによって前記時間割表の科目に記入された際に、前記科目を特定する共に、当該科目に対応する曜日及び時限を特定し、前記保存指示手段は、前記電子ペンによって前記ノート用紙に記入された前記手書きストロークを、前記科目特定手段が特定した前記科目、前記曜日及び前記時限に対応付けて記憶させ、前記ストローク表示手段は、前記電子ペンによって前記時間割表の前記科目に記入された際に、前記科目特定手段が特定した前記科目、前記曜日及び前記時限に対応付けられた前記手書きストロークを表示させる。この態様によれば、電子ペンによって記入された手書きストロークを、科目だけでなく曜日や時限に対応付けて適切に記憶させることができる。また、曜日や時限に応じた手書きストロークを適切に表示させることができる。
【００１６】
上記のコンピュータ装置において好適には、前記ストローク表示手段は、前記時間割表において曜日及び時限が同じ科目に前記電子ペンによって連続して記入された場合、前記曜日及び前記時限に記入された前記手書きストロークを過去に遡って表示させることができる。
【００１７】
また、上記のコンピュータ装置において好適には、前記時間割表は、複数の曜日ごとに割り当てられた、それぞれで異なるコード化パターンが印刷され、前記ストローク表示手段は、前記電子ペンによって前記時間割表の前記曜日に記入された際に、当該曜日に行われる全ての科目について記入された前記手書きストロークを並べて表示させることができる。
【００１８】
好適には、前記ストローク表示手段は、並べて表示されている複数の科目の中からユーザが科目を選択した場合に、当該科目について記入された手書きストロークをアクティブ表示させると共に、ユーザの選択に応じて、現在アクティブ表示されている科目の手書きストロークから、（１）前記現在アクティブ表示されている科目に対応する講義からみて前回の講義に記入された手書きストローク、（２）前記現在アクティブ表示されている科目に対応する講義からみて一週間前の講義で記入された手書きストローク、（３）前記現在アクティブ表示されている科目に対応する講義からみて次の講義で記入された手書きストローク、（４）前記現在アクティブ表示されている科目に対応する講義からみて次の週の講義で記入された手書きストロークのうちのいずれかに、表示させる手書きストロークを切り替える。
【００１９】
また好適には、前記ストローク表示手段は、ユーザの選択に応じて、現在表示されている曜日について記入された手書きストロークから、（１）前記現在表示されている曜日の一つ前の曜日に行われた全ての科目について記入された手書きストローク、（２）前記現在表示されている曜日の一週間前の同じ曜日に行われた全ての科目について記入された手書きストローク、（３）前記現在表示されている曜日の次の曜日に行われた全ての科目について記入された手書きストローク、（４）前記現在表示されている曜日の次の週の同じ曜日に行われた全ての科目について記入された手書きストロークのうちのいずれかに、表示させる手書きストロークを切り替える。
【００２０】
上記のコンピュータ装置の他の一態様では、前記ストローク表示手段は、既に手書きストロークが記入された前記ノート用紙に前記電子ペンによって手書きストロークが記入された場合、前記ノート用紙に対応するページが記憶された前記ファイルを開いて、前記ノート用紙に対応するページを表示させると共に当該ページに前記手書きストロークを描画させる。この態様によれば、既に記入された手書きストロークの続きに、新たに記入された手書きストロークを適切に描画させることができる。
【００２１】
上記のコンピュータ装置の他の一態様では、前記保存指示手段は、未だ手書きストロークが記入されていない前記ノート用紙に前記電子ペンによって手書きストロークが記入された場合、開いている前記ファイルに記憶されたページに連続する、前記ノート用紙に対応する新たなページを作成して、前記手書きストロークを前記新たなページに対応付けて前記ファイルに記憶させ、前記ストローク表示手段は、未だ手書きストロークが記入されていない前記ノート用紙に前記電子ペンによって手書きストロークが記入された場合、前記ノート用紙に対応する新たなページを表示させると共に当該ページに前記手書きストロークを描画させる。
【００２２】
新規のノート用紙に手書きストロークが記入された場合、その手書きストロークをどの科目に対応付けて記憶させるか問題となるが、上記の態様によれば、新規のノート用紙に記入された手書きストロークを、時間割表によって指定された科目に対応付けて適切に記憶させることができる。
【００２３】
上記のコンピュータ装置の他の一態様では、未だ手書きストロークが記入されていない前記ノート用紙に前記電子ペンによって手書きストロークが記入された場合において、前記ファイルが開いていない場合に、前記時間割表を用いた前記科目の指定がなされていない旨を報知する報知手段を更に備える。
【００２４】
上記のコンピュータ装置の他の一態様では、前記保存指示手段は、前記科目特定手段が特定した前記科目に対応するファイルが記憶されていない場合、当該科目に対応付けた新たなファイルを作成する。これにより、ユーザが特に操作を行うことなく、コンピュータ装置側で自動で新規のファイルを作成することができる。
【００２５】
上記のコンピュータ装置において好適には、前記複数の科目に対応する複数のファイルが格納されるフォルダのアイコンを表示させると共に、前記フォルダのアイコンが選択された際に、前記複数のファイルのアイコンを表示させる手段を更に備える。
【００２６】
本発明の他の観点では、コンピュータ装置によって実行されるプログラムは、複数の科目ごとに割り当てられた、それぞれで異なるコード化パターンに関する定義情報を記憶する記憶手段、複数の曜日の複数の時限ごとに、科目を入力させるための入力画面を表示させる入力画面表示手段、前記記憶手段に記憶された前記定義情報に基づいて、前記入力画面によって複数の曜日の複数の時限ごとに入力された科目のそれぞれに割り当てられたコード化パターンと、前記入力された科目の名称とを、時間割表として印刷させるための印刷指示を出力する印刷指示手段、として前記コンピュータ装置を機能させる。
【００２７】
本発明の更に他の観点では、コンピュータ装置によって実行されるプログラムは、複数の曜日の複数の時限ごとに割り当てられた、それぞれで異なるコード化パターンに関する定義情報を記憶する記憶手段、複数の曜日の複数の時限ごとに、科目を入力させるための入力画面を表示させる入力画面表示手段、前記記憶手段に記憶された前記定義情報に基づいて、複数の曜日の複数の時限ごとに割り当てられたコード化パターンと、前記入力画面によって複数の曜日の複数の時限ごとに入力された科目の名称とを、時間割表として印刷させるための印刷指示を出力する印刷指示手段、前記入力画面によって複数の曜日の複数の時限ごとに入力された科目を、それぞれ、前記定義情報における複数の曜日の複数の時限ごとに割り当てられたコード化パターンに関連付けて記憶させる関連付け手段、として前記コンピュータ装置を機能させる。
【００２８】
上記のプログラムの一態様では、電子ペンが読み取ったコード化パターンに関する記入情報を受信する受信手段、前記印刷指示手段による前記印刷指示に応じて印刷された前記時間割表への、前記電子ペンによる記入に対応する前記記入情報に基づいて、前記電子ペンによって記入された科目を特定する科目特定手段、コード化パターンが形成されたノート用紙への前電子ペンによる記入に対応する前記記入情報に基づいて、前記電子ペンによって前記ノート用紙に記入された手書きストロークを、前記科目特定手段が特定した科目に対応付けたファイルに記憶させる保存指示手段、として前記コンピュータ装置を更に機能させる。
【００２９】
上記のプログラムの他の一態様では、前記電子ペンによって前記時間割表に記入された際に、前記科目特定手段が特定した科目に対応付けられた前記ファイルを開き、当該ファイルに記憶された前記手書きストロークを表示させるストローク表示手段として前記コンピュータ装置を更に機能させる。
【００３０】
上記のプログラムの他の一態様では、前記保存指示手段は、前記電子ペンによって前記ノート用紙に記入された前記手書きストロークを、前記ノート用紙のページに対応付けて前記ファイルに記憶させ、前記ストローク表示手段は、前記ファイルに記憶された前記ページの中の所定のページを表示させる。
【００３１】
上記のプログラムの他の一態様では、前記ストローク表示手段は、前記電子ペンによって前記ノート用紙に前記手書きストロークが記入された際に、前記ノート用紙に対応するページに前記手書きストロークを描画させる。
【００３２】
上記のプログラムの他の一態様では、前記科目特定手段は、前記電子ペンによって前記時間割表の科目に記入された際に、前記科目を特定する共に、当該科目に対応する曜日及び時限を特定し、前記保存指示手段は、前記電子ペンによって前記ノート用紙に記入された前記手書きストロークを、前記科目特定手段が特定した前記科目、前記曜日及び前記時限に対応付けて記憶させ、前記ストローク表示手段は、前記電子ペンによって前記時間割表の前記科目に記入された際に、前記科目特定手段が特定した前記科目、前記曜日及び前記時限に対応付けられた前記手書きストロークを表示させる。
【００３３】
上記のプログラムの他の一態様では、前記ストローク表示手段は、前記時間割表において曜日及び時限が同じ科目に前記電子ペンによって連続して記入された場合、前記曜日及び前記時限に記入された前記手書きストロークを過去に遡って表示させる。
【００３４】
上記のプログラムの他の一態様では、前記時間割表は、複数の曜日ごとに割り当てられた、それぞれで異なるコード化パターンが印刷され、前記ストローク表示手段は、前記電子ペンによって前記時間割表の前記曜日に記入された際に、当該曜日に行われる全ての科目について記入された前記手書きストロークを並べて表示させる。
【００３５】
上記のプログラムの他の一態様では、前記ストローク表示手段は、並べて表示されている複数の科目の中からユーザが科目を選択した場合に、当該科目について記入された手書きストロークをアクティブ表示させると共に、ユーザの選択に応じて、現在アクティブ表示されている科目の手書きストロークから、（１）前記現在アクティブ表示されている科目に対応する講義からみて前回の講義に記入された手書きストローク、（２）前記現在アクティブ表示されている科目に対応する講義からみて一週間前の講義で記入された手書きストローク、（３）前記現在アクティブ表示されている科目に対応する講義からみて次の講義で記入された手書きストローク、（４）前記現在アクティブ表示されている科目に対応する講義からみて次の週の講義で記入された手書きストロークのうちのいずれかに、表示させる手書きストロークを切り替える。
【００３６】
上記のプログラムの他の一態様では、前記ストローク表示手段は、ユーザの選択に応じて、現在表示されている曜日について記入された手書きストロークから、（１）前記現在表示されている曜日の一つ前の曜日に行われた全ての科目について記入された手書きストローク、（２）前記現在表示されている曜日の一週間前の同じ曜日に行われた全ての科目について記入された手書きストローク、（３）前記現在表示されている曜日の次の曜日に行われた全ての科目について記入された手書きストローク、（４）前記現在表示されている曜日の次の週の同じ曜日に行われた全ての科目について記入された手書きストロークのうちのいずれかに、表示させる手書きストロークを切り替える。
【００３７】
上記のプログラムの他の一態様では、前記ストローク表示手段は、既に手書きストロークが記入された前記ノート用紙に前記電子ペンによって手書きストロークが記入された場合、前記ノート用紙に対応するページが記憶された前記ファイルを開いて、前記ノート用紙に対応するページを表示させると共に当該ページに前記手書きストロークを描画させる。
【００３８】
上記のプログラムの他の一態様では、前記保存指示手段は、未だ手書きストロークが記入されていない前記ノート用紙に前記電子ペンによって手書きストロークが記入された場合、開いている前記ファイルに記憶されたページに連続する、前記ノート用紙に対応する新たなページを作成して、前記手書きストロークを前記新たなページに対応付けて前記ファイルに記憶させ、前記ストローク表示手段は、未だ手書きストロークが記入されていない前記ノート用紙に前記電子ペンによって手書きストロークが記入された場合、前記ノート用紙に対応する新たなページを表示させると共に当該ページに前記手書きストロークを描画させる。
【００３９】
上記のプログラムの他の一態様では、未だ手書きストロークが記入されていない前記ノート用紙に前記電子ペンによって手書きストロークが記入された場合において、前記ファイルが開いていない場合に、前記時間割表を用いた前記科目の指定がなされていない旨を報知する報知手段として前記コンピュータ装置を更に機能させる。
【００４０】
上記のプログラムの他の一態様では、前記保存指示手段は、前記科目特定手段が特定した前記科目に対応するファイルが記憶されていない場合、当該科目に対応付けた新たなファイルを作成する。
【００４１】
上記のプログラムの他の一態様では、前記複数の科目に対応する複数のファイルが格納されるフォルダのアイコンを表示させると共に、前記フォルダのアイコンが選択された際に、前記複数のファイルのアイコンを表示させる手段として前記コンピュータ装置を更に機能させる。
【００４２】
これらのプログラムを実行することにより、上記のコンピュータ装置を実現することができる。
【発明の効果】
【００４３】
本発明によれば、入力画面を用いてユーザによって各曜日の各時限ごとに入力された科目に応じて、各科目に対応付けられたドットパターンが形成された時間割表を適切に作成することが可能となる。このような時間割表を用いることで、電子ペンによってノート用紙に記入された手書きストロークを、複数の科目ごとに分類して適切に記憶させることができる（つまり手書きストロークを電子化できる）。
【図面の簡単な説明】
【００４４】
【図１】第１実施形態における情報処理システムのシステム構成図である。
【図２】ドットパターンにおけるドットの配置と変換される値との関係を示す説明図である。
【図３】（ａ）はドットパターンを模式的に示し、（ｂ）はそれに対応する情報の例を示す図である。
【図４】電子ペンの構造を示す概略図である。
【図５】第１実施形態に係るコンピュータ装置の機能ブロック図である。
【図６】各科目ごとにドットパターンの座標範囲を対応付けた座標定義情報を示す。
【図７】入力画面表示手段によって表示される入力画面の一例を示す。
【図８】第１実施形態によって作成された時間割表の一例を示す。
【図９】第１実施形態において、時間割表の科目がタップされた際に表示される画面例を示す。
【図１０】第１実施形態において、ノート用紙に手書きストロークが記入された際に表示される画面例を示す。
【図１１】第１実施形態において、ノート用紙に手書きストロークが記入された際に表示される他の画面例を示す。
【図１２】フォルダ及びファイルのアイコンの表示例を示す。
【図１３】第１実施形態の情報処理システムによる処理フローを示す。
【図１４】第１実施形態に係るコンピュータ装置の機能ブロック図である。
【図１５】各曜日ごとにドットパターンの座標範囲を対応付けた座標定義情報を示す。
【図１６】（ａ）は、月曜の各時限ごとにドットパターンの座標範囲を対応付けた座標定義情報を示し、（ｂ）は、月曜の各時限ごとのドットパターンの座標範囲に対して科目を関連付けた座標定義情報を示す。
【図１７】第２実施形態において、時間割表の科目がタップされた際に表示される画面例を示す。
【図１８】第２実施形態において、時間割表の曜日がタップされた際に表示される画面例を示す。
【図１９】第２実施形態の情報処理システムによる処理フローを示す。
【発明を実施するための形態】
【００４５】
以下、図面を参照しながら、本発明の実施の形態について説明する。
【００４６】
＜第１実施形態＞
まず、本発明に係る第１実施形態について説明する。
【００４７】
［情報処理システムの構成］
図１は、第１実施形態に係る情報処理システムの構成を示す。図１に示すように、情報処理システムは、ユーザが使用する電子ペン１と、電子ペン１から記入情報等を受信して処理するコンピュータ装置２と、ドットパターン（コード化パターン）が形成された時間割表３と、各々で異なる座標範囲のドットパターン（コード化パターン）が形成された複数のノート用紙４と、科目別にノート用紙４を区切るための見出し用紙５と、時間割表３、ノート用紙４及び見出し用紙５を綴じるための多穴ファイル６と、コンピュータ装置２からの印刷指示（出力命令）に従って時間割表３を印刷するプリンタ７と、を有する。
【００４８】
時間割表３は、複数の曜日の複数の時限ごとに講義の科目が対応付けられた表であり、科目の部分にドットパターンが形成されている。具体的には、時間割表３は、各科目ごとに異なる座標範囲のドットパターン（コード化パターン）が形成されている。ドットパターンは、赤外線を吸収するカーボンを含んだインクにより印刷される。他方で、科目の名称や枠線などは、赤外域に吸収性を持たないインクにより印刷される。また、時間割表３には、多穴ファイル６により綴じるための穴が形成されている。なお、時間割表３は、ユーザの入力に応じて、コンピュータ装置２がプリンタ７に対して印刷指示（出力命令）を供給することで作成されるものであるが（詳細は後述する）、ここでは、完成された状態にある時間割表３について説明している。
【００４９】
複数のノート用紙４は、所謂ルーズリーフに相当し、科目に応じた内容（例えば講義での板書を書き写した内容）が電子ペン１によって記入される。複数のノート用紙４は、それぞれで異なる座標範囲のドットパターン（コード化パターン）が形成されており、時間割表３に用いられるドットパターンとも座標範囲が異なる。ドットパターンは、赤外線を吸収するカーボンを含んだインクにより印刷される。また、複数のノート用紙４は、多穴ファイル６により綴じるための穴が形成されている。なお、本実施形態では、ドットパターンは、アノト方式のものによるが、他のコード化パターンを用いても良い。
【００５０】
コンピュータ装置２は、ＣＰＵ等のプロセッサ、ＲＯＭやＲＡＭといったメモリ、ディスプレイなどを有し、電子ペン１から記入情報等を受信して種々の処理を行う。例えば、コンピュータ装置２は、「ｉＰａｄ（登録商標）」などのタブレットＰＣで構成される。
【００５１】
ここで、図１に示すような情報処理システムの利用形態を簡単に説明する。ユーザは、コンピュータ装置２に対して、各曜日の各時限に行われる講義の科目の名称（以下、適宜「科目名」と呼ぶ。）を入力する。コンピュータ装置２は、各科目ごとに割り当てるドットパターン（科目ごとに異なる座標範囲のドットパターン）に関する座標定義情報を記憶しており、座標定義情報に基づいて、ユーザによって入力された科目名と各科目に割り当てられたドットパターンとを時間割表３として印刷させるための印刷指示をプリンタ７に出力する。プリンタ７は、コンピュータ装置２からの印刷指示に基づいて、時間割表３を印刷する。なお、上記した「科目名（科目の名称）」には、科目の正式名称だけでなく、科目の略称（例えば「現社（現代社会）」など）も含まれるものとする。
【００５２】
次に、このように印刷された時間割表３の利用形態について説明する。ユーザは、電子ペン１によって、時間割表３の科目の部分をタップし、この際に、コンピュータ装置２は、電子ペン１によってタップされた科目用のファイルを開く。当該ファイルは、ユーザが電子ペン１によってノート用紙４に記入した手書きストロークを、科目ごとに分類して記憶させるためのものであり、講義の科目の数だけ存在する。コンピュータ装置２は、上記のようにファイルを開いた際に、そのファイルの科目について記入された手書きストロークにおいて、ノート用紙４の所定のページ（例えば手書きストロークが記入された最終ページ）に記入された手書きストロークをディスプレイ上に表示させる。また、ユーザは、電子ペン１によってノート用紙４に手書きストロークを記入する。この際に、コンピュータ装置２は、ユーザによって記入された手書きストロークをディスプレイ上に描画すると共に、上記のようにして開いたファイルに当該手書きストロークを記憶させる。
【００５３】
［ドットパターン］
図２及び図３を参照して、時間割表３及びノート用紙４に形成されたアノト方式のドットパターンについて説明する。図２は、時間割表３及びノート用紙４に形成されたドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、時間割表３やノート用紙４上の位置座標が決定されるよう構成されている。
【００５４】
図３（ａ）は、あるドットパターンの配列を示している。図３（ａ）に示すように、縦横約２ｍｍの範囲内に６×６個のドットが、時間割表３やノート用紙４上のどの部分から６×６ドットを取ってもユニークなパターンとなるように配置されている。これら３６個のドットにより形成されるドットパターンは位置座標（例えば、そのドットパターンが時間割表３やノート用紙４上のどの位置にあるのか）を保持している。図３（ｂ）は、図３（ａ）に示す各ドットを、格子の基準位置からのシフト方向によって、図３に示す規則性に基づいて対応づけられた値に変換したものである。この変換は、ドットパターンの画像を撮影する電子ペン１によって行われる。
【００５５】
［電子ペン］
次に、電子ペン１について図４を用いて説明する。図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端はペン先部１０３となっており、ユーザは、電子ペン１のペン先部１０３をノート用紙４に当接させて、ストローク（手書きストローク）を記入したり、電子ペン１のペン先部１０３を時間割表３に当接させて、タップ（ペン先部１０３による時間割表３への軽叩）したりする。本明細書では、電子ペン１によるタップも、「記入」の概念に含まれるものとする。ここで、電子ペン１のペン先部１０３が時間割表３やノート用紙４に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００５６】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりノート用紙４に文字やマークを書いたり時間割表３にタップしたりする際にペン先部１０３からインクカートリッジ１０４を通じて与えられる圧力、即ち筆圧を検出し、その値をプロセッサ１０８へ伝送する。
【００５７】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１によりノート用紙４に文字など書いたり時間割表３にタップしたりすると、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてコンピュータ装置２へ送信する。また、ユーザが１つのストロークを記入し終えて電子ペン１を時間割表３ないしノート用紙４から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００５８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、時間割表３やノート用紙４上のペン先部１０３近傍に向けて赤外線を照明する。その領域は、ペン先部１０３が時間割表３ないしノート用紙４に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、時間割表３やノート用紙４に文字や枠線などが印刷されていた場合でも、印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００５９】
プロセッサ１０８は、ユーザの記入が行われる間、ＣＭＯＳカメラ１０６によって供給される画像データのドットパターンから、ユーザが記入するストローク（筆跡）の時間割表３やノート用紙４上におけるＸ、Ｙ座標（以後、単に「位置座標」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際、その機能を発揮させる。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、時間割表３及びノート用紙４における６×６のドットパターンは、時間割表３及びノート用紙４内で重複することはないため、ユーザが電子ペン１で文字等を記入すると、記入された位置が時間割表３やノート用紙４のどの位置に当たるかを、プロセッサ１０８による座標演算により特定することができる。
【００６０】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ、Ｙ座標（座標点）からなり、コンピュータ装置２は、ペンダウン情報及びペンアップ情報によって、１つのストロークを構成する１個又は複数個の座標属性情報を認識する。このように、ユーザの一つのストロークの記入により、電子ペン１によって生成される座標属性情報の集合を「ストローク情報」と呼ぶ。
【００６１】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成されるパーソナルコンピュータ等で構成される。図５は、コンピュータ装置２の機能ブロック図である。コンピュータ装置２は、機能的には、入力手段２１、通信手段２２、処理手段２４、記憶手段２５、表示手段２６及び印刷出力手段２７を備える。
【００６２】
入力手段２１は、各種コマンドやデータを入力するためのマウスやキーボードなどから構成されている。なお、表示手段２６がタッチパネル方式である場合には、表示手段２６の表示画面上に設けられたタッチパネルも入力手段２１として機能する。通信手段（受信手段）２２は、アンテナ受信回路等により構成され、電子ペン１から記入情報を受信し、処理手段２４に伝送する。表示手段２６は、ディスプレイ等によって構成され、処理手段２４によって指示された内容を表示する。印刷出力手段２７は、処理手段２４からの時間割表３の印刷指示（出力命令）をプリンタ７に送信する。なお、プリンタ７へのデータ送信方式は、有線式であっても無線式であってもよい。
【００６３】
記憶手段２５は、ハードディスクやＲＯＭ、ＲＡＭといったメモリによって構成される。第１実施形態では、記憶手段２５は、図６に示すように、講義の対象となっている複数の科目と、当該複数の科目のそれぞれに割り当てられたドットパターンの座標範囲とを対応付けた座標定義情報（定義情報）を記憶している。具体的には、記憶手段２５は、科目ごとに異なるドットパターンの座標範囲を記憶している。ドットパターンの座標範囲は、矩形の角の位置座標（Ｘｎ，Ｙｎ）、高さ（Ｈ）、幅（Ｗ）によって規定される（以下同様とする）。また、記憶手段２５は、複数のノート用紙４のそれぞれに割り当てられたドットパターンの座標範囲を示す座標定義情報も記憶している。具体的には、記憶手段２５は、各ノート用紙４ごとに異なるドットパターンの座標範囲を記憶している。
【００６４】
更に、記憶手段２５は、処理手段２４の処理命令により、電子ペン１から受信した記入情報をペンＩＤ毎に記憶し、さらに、処理手段２４の指示により、記憶領域を確保して、ペンダウンからペンアップまでの記入情報に含まれる座標属性情報をストローク情報としてペンＩＤ毎に記憶する。具体的には、記憶手段２５は、複数の科目のそれぞれに対応するファイルごとに、電子ペン１によってノート用紙４に記入された手書きストロークを記憶する。上記以外にも、記憶手段２５は、処理手段２４の指示により、プログラムの実行により生成される各種情報を記憶する。
【００６５】
処理手段２４は、ＣＰＵ等のプロセッサによって構成され、コンピュータ装置２の全体の制御を行う。具体的には、処理手段２４は、入力画面表示手段２４１と、印刷指示手段２４２と、判定手段２４３と、保存指示手段２４４と、ストローク表示手段２４５と、報知手段２４６とを備える。
【００６６】
入力画面表示手段２４１は、ユーザに、複数の曜日の複数の時限ごとに科目を入力させるための入力画面を表示手段２６に表示させる。ユーザは、このような入力画面を用いて、各曜日の各時限ごとに、講義が行われる科目を入力する。印刷指示手段２４２は、入力画面を用いてユーザによって入力された科目に応じた時間割表３を印刷させるための印刷指示を印刷出力手段２７に供給する。具体的には、印刷指示手段２４２は、図６に示したような記憶手段２５に記憶された座標定義情報に基づいて、入力画面によって複数の曜日の複数の時限ごとに入力された科目のそれぞれに割り当てられたドットパターンと、複数の曜日の複数の時限ごとに入力された科目名とを、時間割表３として印刷させるための印刷指示を出力する。
【００６７】
判定手段２４３は、通信手段２２が電子ペン１から受信した記入情報に基づいて、電子ペン１によって時間割表３及びノート用紙４のいずれに記入（タップ及びストロークの両方を含むものとする）されたかを判定する。具体的には、判定手段２４３は、記憶手段２５に記憶された座標定義情報（具体的には、複数のノート用紙４に割り当てられたドットパターンの座標範囲を示す座標定義情報、及び、複数の科目に割り当てられたドットパターンの座標範囲を示す座標定義情報）を参照することで、電子ペン１によって時間割表３の科目とノート用紙４のいずれに記入されたかを判定する。判定手段２４３は、電子ペン１によって時間割表３の科目に記入されたと判定した場合、その科目を特定する。具体的には、判定手段２４３は、ユーザが電子ペン１によって時間割表３の科目にタップした際に、記憶手段２５に記憶された、複数の科目とドットパターンの座標範囲とが対応付けられた座標定義情報を参照することで、電子ペン１によってタップされた科目を特定する。このように、判定手段２４３は、本発明における「科目特定手段」の一例に相当する。
【００６８】
他方で、判定手段２４３は、電子ペン１によってノート用紙４に記入されたと判定した場合、当該ノート用紙４が新規のノート用紙４であるか否かを判定する。つまり、判定手段２４３は、電子ペン１によって記入されたノート用紙４が、既に手書きストロークが記入されたノート用紙４であるか、それとも未だ手書きストロークが記入されていないノート用紙４であるかを判定する。この場合、判定手段２４３は、後述する保存指示手段２４４によって記憶されたファイルに、電子ペン１によって手書きストロークが記入されたノート用紙４のデータが含まれているか否かに基づいて、このような判定を行う。
【００６９】
保存指示手段２４４は、電子ペン１によって記入された手書きストロークを、判定手段２４３が特定した科目に対応付けたファイルにて記憶手段２５に記憶させる。具体的には、保存指示手段２４４は、ノート用紙４に記入された手書きストロークを、当該ノート用紙４のページに対応付けて記憶手段２５に記憶させる。この場合、保存指示手段２４４は、既に手書きストロークが記入されたノート用紙４に手書きストロークが記入されたと判定手段２４３によって判定された場合には、当該ノート用紙４のページに、新たに記入された手書きストロークを上書きして記憶させる。他方で、保存指示手段２４４は、未だ手書きストロークが記入されていないノート用紙４に手書きストロークが記入されたと判定手段２４３によって判定された場合には、現在開いているファイルに記憶されたページに連続する、当該ノート用紙４に対応する新たなページを作成して、手書きストロークを新たなページに対応付けて記憶手段２５に記憶させる。なお、保存指示手段２４４は、判定手段２４３が特定した科目に対応するファイルが存在しない場合には、当該科目に対応付けた新たなファイルを作成する。
【００７０】
ストローク表示手段２４５は、ユーザが電子ペン１によって時間割表３の科目にタップした際に、判定手段２４３が特定した科目に対応付けられたファイルを開き、当該ファイルに記憶された手書きストロークを表示手段２６に表示させる。この場合、ストローク表示手段２４５は、当該ファイルに記憶されたページの中の所定のページ（例えば最終ページ）を表示手段２６に表示させる。また、ストローク表示手段２４５は、ノート用紙４に手書きストロークが記入された際に、当該手書きストロークを表示手段２６に表示させる。具体的には、ストローク表示手段２４５は、既に手書きストロークが記入されたノート用紙４に手書きストロークが記入されたと判定手段２４３によって判定された場合には、当該ノート用紙４に対応するページが記憶されたファイルを開いて、当該ノート用紙４に対応するページを表示させると共に、当該ページに手書きストロークを描画させる。他方で、ストローク表示手段２４５は、未だ手書きストロークが記入されていないノート用紙４に手書きストロークが記入されたと判定手段２４３によって判定された場合には、現在開いているファイルに記憶されたページに連続する新たなページを表示させると共に、当該ページに手書きストロークを描画させる。
【００７１】
報知手段２４６は、未だ手書きストロークが記入されていないノート用紙４に手書きストロークが記入されたと判定手段２４３によって判定された場合において、ファイルを開いていない場合に（つまり電子ペン１による時間割表３へのタップにより科目が指定されていない場合）、科目が指定されていない旨をユーザに報知する。
【００７２】
［時間割表の作成方法］
次に、図７及び図８を参照して、本実施形態に係る時間割表３の作成方法について具体的に説明する。
【００７３】
図７は、入力画面表示手段２４１によって表示される入力画面の一例を示している。図７に示すように、入力画面表示手段２４１は、主に、各曜日の各時限ごとに科目を入力させるための複数の入力欄４１と、入力された科目を登録するための登録ボタン４２と、入力された全科目を消去するためのクリアボタン４３とを有する入力画面を表示手段２６に表示させる。
【００７４】
ユーザは、キーボードなどの入力手段２１を用いて、各入力欄４１にキー入力にて科目を入力する。そして、ユーザは、全ての入力欄４１に科目を入力した後に、登録ボタン４２をマウスでクリックしたりタッチパネルでタッチしたりする。これにより、各入力欄４１に入力された科目が登録される。一方で、クリアボタン４３をマウスでクリックしたりタッチパネルでタッチしたりすると、各入力欄４１に入力された科目が消去される。
【００７５】
図８は、上記のような入力画面によって入力された科目に応じて印刷された時間割表３の一例を示している。なお、時間割表３は、入力画面で登録ボタン４２が選択された後（つまり入力された科目が登録された後）に印刷されるものとする。
【００７６】
図８に示すように、破線領域Ａ１に示す部分には、各曜日の各時限ごとに、入力画面を用いてユーザによって入力された科目名と、各科目に割り当てられた、それぞれで異なる座標範囲のドットパターンとが印刷される。具体的には、枠線で示された矩形の内部に、科目名が印刷されると共に、当該科目に割り当てられた座標範囲のドットパターンが印刷される。この場合、同じ科目名が印刷された箇所には、同じ座標範囲のドットパターンが印刷される。また、破線領域Ａ２に示す部分には、曜日や時限などを示す文字及び枠線が印刷されている。ドットパターンは、赤外線を吸収するカーボンを含んだインクにより印刷され、科目名や曜日や時限などを示す文字及び枠線は、赤外域に吸収性を持たないインクにより印刷される。
【００７７】
このような時間割表３は、印刷指示手段２４２が生成した印刷指示に応じてプリンタ７によって印刷される。印刷指示手段２４２は、記憶手段２５に記憶された座標定義情報（図６参照）に基づいて、入力画面によって複数の曜日の複数の時限ごとに入力された科目のそれぞれに割り当てられたドットパターンと、複数の曜日の複数の時限ごとに入力された科目名とを、時間割表３として印刷させるための印刷指示を生成する。また、時間割表３には、多穴ファイル６により綴じるための穴が形成されている。このような穴は、プリンタ７による印刷前に事前に形成しても良いし、プリンタ７による印刷後に形成しても良い。
【００７８】
［表示画面例］
次に、図９乃至図１２を参照して、上記した処理手段２４のストローク表示手段２４５によって表示される画面例を提示する。
【００７９】
図９は、電子ペン１によって時間割表３の科目がタップされた際に表示される画面例を示している。図９（ａ）は時間割表３の一例を示し、図９（ｂ）はコンピュータ装置２の表示手段２６に表示される画面例を示している。
【００８０】
ここでは、図９（ａ）に示すように、ユーザが電子ペン１によって「現社（現代社会）」の科目をタップした場合を例示する。この場合には、処理手段２４の判定手段２４３は、図６に示したような記憶手段２５に記憶された座標定義情報を参照することで、電子ペン１によってタップされた科目が「現社」であると特定する。そして、ストローク表示手段２４５は、判定手段２４３によって特定された「現社」のファイルを開き、図９（ｂ）に示すように、当該ファイルに記憶された手書きストロークを表示手段２６に表示させる。具体的には、ストローク表示手段２４５は、「現社」について手書きストロークが記入されたページにおいて、最終ページを表示手段２６に表示させる。例えば、ストローク表示手段２４５は、このようなページをウィンドウによって表示させると共に、当該ウィンドウの上部に「現代社会ノート」といった科目に対応する文字を表示させる。なお、上記のように最終ページを表示させることに限定はされず、最初のページなどを表示させても良い。
【００８１】
図１０は、電子ペン１によってノート用紙４に手書きストロークが記入された際に表示される画面例を示している。図１０（ａ）はノート用紙４の一例を示し、図１０（ｂ）はコンピュータ装置２の表示手段２６に表示される画面例を示している。
【００８２】
ここでは、既に手書きストロークが記入されたノート用紙４に手書きストロークが記入された場合、つまり既に記入された手書きストロークの続きに新たな手書きストロークが記入された場合を例示する。具体的には、図１０（ａ）に示すように、破線領域Ｂ１に示す部分に新たな手書きストロークが記入された場合を例示する。この場合、ストローク表示手段２４５は、手書きストロークが記入されたノート用紙４に対応するページが記憶されたファイルを開く。そして、ストローク表示手段２４５は、図１０（ｂ）に示すように、そのノート用紙４に対応するページを表示させると共に、当該ページに手書きストロークを描画させる（破線領域Ｂ２参照）。なお、電子ペン１によって時間割表３の科目がタップされることで、手書きストロークが記入されたノート用紙４に対応するページが既に表示されている場合には、ストローク表示手段２４５は、上記のようにファイルを開く処理をしなくとも、既にファイルが開いているため、既に表示されている当該ページに手書きストロークを描画させる。
【００８３】
図１１は、電子ペン１によってノート用紙４に手書きストロークが記入された際に表示される他の画面例を示している。図１１（ａ）はノート用紙４の一例を示し、図１１（ｂ）はコンピュータ装置２の表示手段２６に表示される画面例を示している。
【００８４】
ここでは、未だ手書きストロークが記入されていないノート用紙４に手書きストロークが記入された場合、つまり新規のノート用紙４に手書きストロークが記入された場合を例示する。具体的には、図１１（ａ）に示すように、破線領域Ｃ１に示す部分に手書きストロークが記入された場合を例示する。この場合、ストローク表示手段２４５は、図１１（ｂ）に示すように、現在開いているファイルに記憶されたページに連続する新たなページ（具体的には白紙のページ）を表示させると共に、当該ページに手書きストロークを描画させる（破線領域Ｃ２参照）。
【００８５】
図１２は、コンピュータ装置２の表示手段２６に表示される、フォルダ及びファイルのアイコンの一例を示している。図１２（ａ）は、上記したような科目ごとのファイルが格納されたフォルダのアイコン１０を示している。例えば、フォルダは「講義ノート」といった名称が付けられ、フォルダのアイコン１０はデスクトップに表示される。ユーザが入力手段２１によってフォルダのアイコン１０を選択した場合、例えばフォルダのアイコン１０をマウスでクリックしたりタッチパネルでタッチ入力した場合、図１２（ｂ）に示すように、フォルダに格納された複数のファイルのアイコン１１が表示される。つまり、フォルダが展開する。
【００８６】
ここで、ユーザが入力手段２１によってファイルのアイコン１１を選択した場合、例えばファイルのアイコン１１をマウスでクリックしたりタッチパネルでタッチ入力した場合、時間割表３の科目がタップされた場合と同様に、ストローク表示手段２４５は、選択されたファイルに記憶された手書きストロークを表示手段２６に表示させる。具体的には、ストローク表示手段２４５は、選択されたファイルに記憶されたページの中の所定のページ（例えば最終ページ）を表示手段２６に表示させる。
【００８７】
［処理フロー］
次に、図１３を参照して、第１実施形態の情報処理システムによる処理フローについて説明する。図１３に示す処理フローは、電子ペン１により記入情報が生成されるごとに繰り返し実行される。
【００８８】
まず、ユーザが、電子ペン１で時間割表３及びノート用紙４に記入（タップ及びストロークの両方を含む）すると、電子ペン１は、生成した記入情報をコンピュータ装置２へ送信する。コンピュータ装置２では、通信手段２２が、電子ペン１から送信された記入情報を受信すると、処理手段２４の保存指示手段２４４は、その記入情報を記憶手段２５に記憶させる（ステップＳ１０１）。
【００８９】
次に、処理手段２４の判定手段２４３は、電子ペン１によって時間割表３の科目とノート用紙４のいずれに記入されたかを判定する（ステップＳ１０２）。具体的には、判定手段２４３は、記憶手段２５に記憶された座標定義情報（具体的には、複数のノート用紙４に割り当てられたドットパターンの座標範囲を示す座標定義情報、及び、複数の科目に割り当てられたドットパターンの座標範囲を示す座標定義情報）を参照することで、電子ペン１によって時間割表３の科目とノート用紙４のいずれに記入されたかを判定する。
【００９０】
電子ペン１によって時間割表３の科目に記入された場合（ステップＳ１０２：時間割表の科目）、判定手段２４３は、電子ペン１によってタップされた科目を特定し、その科目のファイルが記憶手段２５に記憶されているか否かを判定する（ステップＳ１０３）。電子ペン１によってタップされた科目のファイルが記憶されている場合（ステップＳ１０３；Ｙｅｓ）、処理手段２４のストローク表示手段２４５は、判定手段２４３が特定した科目に対応付けられたファイルを開き、当該ファイルに記憶された手書きストロークを表示手段２６に表示させる（ステップＳ１０４）。具体的には、ストローク表示手段２４５は、当該ファイルに記憶されたページの中の最終ページを表示手段２６に表示させる。
【００９１】
一方、電子ペン１によってタップされた科目のファイルが記憶されていない場合（ステップＳ１０３；Ｎｏ）、保存指示手段２４４は、その科目用のファイルを作成する（ステップＳ１０５）。そして、保存指示手段２４４は、作成したファイルのアイコンを生成すると共に、そのファイルをフォルダ（講義ノートフォルダ）内に記憶させる（ステップＳ１０６）。この後、ストローク表示手段２４５は、保存指示手段２４４によって作成されたファイルを開く（ステップＳ１０７）。具体的には、ストローク表示手段２４５は、白紙のページを表示手段２６に表示させる。
【００９２】
他方で、電子ペン１によってノート用紙４に記入された場合（ステップＳ１０２：ノート用紙）、判定手段２４３は、そのノート用紙４が新規のノート用紙４であるか否かを判定する（ステップＳ１０８）。具体的には、判定手段２４３は、記憶手段２５に記憶されたファイルに、電子ペン１によって記入されたノート用紙４のデータが含まれるか否かに基づいて、このような判定を行う。
【００９３】
電子ペン１によって記入されたノート用紙４が新規のノート用紙４でない場合（ステップＳ１０８；Ｎｏ）、ストローク表示手段２４５は、そのノート用紙４に対応するページを含むファイルを開いて、当該ノート用紙４に対応するページを表示手段２６に表示させる（ステップＳ１０９）。そして、ストローク表示手段２４５は、表示させたページに手書きストロークを描画させると共に、保存指示手段２４４は、そのページに対応付けて手書きストロークを記憶させる（ステップＳ１１０）。
【００９４】
一方、電子ペン１によって記入されたノート用紙４が新規のノート用紙４である場合（ステップＳ１０８；Ｙｅｓ）、判定手段２４３は、ファイルを開いているか否かを判定する（ステップＳ１１１）。言い換えると、判定手段２４３は、電子ペン１による時間割表３へのタップにより科目が指定されているか否かを判定する。
【００９５】
ファイルを開いている場合（ステップＳ１１１；Ｙｅｓ）、保存指示手段２４４は、現在開いているファイルに記憶されたページ（具体的には最終ページ）に連続する、新規のノート用紙４のためのページを作成し、作成したページをファイルに記憶させる（ステップＳ１１２）。なお、現在開いているファイルにページが記憶されていない場合、つまり新規のノート用紙４が最初のページに対応する場合には、保存指示手段２４４は、ファイルに記憶されたページに連続するページを作成せずに、最初のページを作成する。次に、ストローク表示手段２４５は、新たなページ（白紙のページ）に手書きストロークを描画させると共に、保存指示手段２４４は、そのページに対応付けて手書きストロークを記憶させる（ステップＳ１１３）。
【００９６】
一方、ファイルを開いていない場合（ステップＳ１１１；Ｎｏ）、処理手段２４の報知手段２４６は、科目が指定されていない旨をユーザに報知する（ステップＳ１１４）。例えば、報知手段２４６は、科目が指定されていないことを示すメッセージを、画像として表示手段２６に表示させたり、音声としてスピーカから出力させたりする。若しくは、報知手段２４６は、アラーム音を出力させたりする。
【００９７】
［第１実施形態による作用効果］
以上説明した第１実施形態によれば、入力画面を用いてユーザによって各曜日の各時限ごとに入力された科目に応じて、各科目に対応付けられたドットパターンが形成された時間割表３を適切に作成することが可能となる。また、第１実施形態によれば、このような時間割表３を用いることで、電子ペン１によってノート用紙４に記入された手書きストロークを、複数の科目ごとに分類して適切に記憶させることができる（つまり手書きストロークを電子化できる）と共に、そのような手書きストロークを各科目ごとに適切に表示させることができる。
【００９８】
具体的には、電子ペン１によって記入された手書きストロークを、時間割表３によって指定された科目に対応付けて記憶させることができると共に、時間割表３によって指定された科目に応じて、手書きストロークを適切に表示させることができる。例えば、新規のノート用紙４に手書きストロークが記入された場合、その手書きストロークをどの科目に対応付けて記憶させるか問題となるが、本実施形態によれば、時間割表３を用いることで、新規のノート用紙４に記入された手書きストロークを、時間割表３によって指定された科目に対応付けて適切に記憶させることができる。
【００９９】
［第１実施形態の変形例］
上記では、キー入力にて科目を入力する例を示したが（図７参照）、これに限定はされない。他の例では、各曜日の各時限ごとに、プルダウンメニューにて複数の科目を全て表示させて、ユーザに科目を選択させることができる。この例では、ユーザは、プルダウンメニューで表示された複数の科目の中から、マウスでクリックしたりタッチパネルでタッチしたりすることで科目を選択することができる。本明細書では、このようにプルダウンメニューにて科目を選択する操作も、「入力」の概念に含まれるものとする。
【０１００】
また、上記実施形態において、処理手段２４は、各科目のページごとにページ番号を付し、各ページにそのページ番号を表示させるようにしてもよい。また、処理手段２４は、表示手段２６に設けられたタッチパネルによる指の操作を検知して、ページめくり処理をするようにしてもよい。
【０１０１】
＜第２実施形態＞
次に、本発明に係る第２実施形態について説明する。第２実施形態では、複数の曜日の複数の時限ごとに割り当てられたドットパターンに関する座標定義情報を記憶しておき、当該座標定義情報に基づいて、複数の曜日の複数の時限ごとに割り当てられたドットパターンと、入力画面によって複数の曜日の複数の時限ごとに入力された科目名とを、時間割表として印刷させる。つまり、第２実施形態では、複数の曜日の複数の時限ごとに異なる座標範囲のドットパターンが形成された時間割表を印刷する点で、第１実施形態と異なる。また、第２実施形態では、入力画面によって複数の曜日の複数の時限ごとに入力された科目を、それぞれ、座標定義情報における複数の曜日の複数の時限ごとに割り当てられたドットパターンに関連付けて記憶させる点でも、第１実施形態と異なる。
【０１０２】
［コンピュータ装置］
次に、図１４を参照して、第２実施形態に係るコンピュータ装置２ａについて説明する。第２実施形態に係るコンピュータ装置２ａも、図１に示したような情報処理システムに適用される。
【０１０３】
図１４に示すように、第２実施形態に係るコンピュータ装置２ａは、処理手段２４が関連付け手段２４７を有する点で、第１実施形態に係るコンピュータ装置２（図５参照）と異なる。以下では、第１実施形態と異なる構成について主に説明を行い、第１実施形態と同様の構成については適宜説明を省略する。つまり、特に説明しない構成要素や処理などについては、第１実施形態と同様であるものとする。
【０１０４】
第２実施形態では、記憶手段２５は、図１５に示すように、複数の曜日（月曜〜金曜）と、複数の曜日のそれぞれに割り当てられたドットパターンの座標範囲とを対応付けた座標定義情報を記憶している。具体的には、記憶手段２５は、曜日ごとに異なるドットパターンの座標範囲を記憶している。また、記憶手段２５は、複数の曜日における複数の時限と、複数の曜日における複数の時限のそれぞれに割り当てられたドットパターンの座標範囲とを対応付けた座標定義情報を記憶している。具体的には、記憶手段２５は、各曜日の各時限ごとに異なるドットパターンの座標範囲を記憶している。図１６（ａ）は、月曜における複数の時限（１限〜６限）と、月曜における複数の時限のそれぞれに割り当てられたドットパターンの座標範囲とを対応付けた座標定義情報を例示している。記憶手段２５は、図１６（ａ）に示すような座標定義情報を、他の曜日（火曜〜金曜）についても記憶している。但し、ドットパターンの座標範囲は、各曜日の各時限で異なるものとする。
【０１０５】
第２実施形態では、印刷指示手段２４２は、上記のような記憶手段２５に記憶された座標定義情報に基づいて、入力画面を用いてユーザによって入力された科目に応じた時間割表を印刷させるための印刷指示を印刷出力手段２７に供給する（入力画面表示手段２４１によって表示される入力画面は、第１実施形態と同様である）。具体的には、印刷指示手段２４２は、各曜日の各時限ごとに異なるドットパターンの座標範囲が割り当てられた座標定義情報に基づいて、各曜日の各時限ごとに割り当てられたドットパターンと、入力画面によって各曜日の各時限ごとに入力された科目名とを、時間割表として印刷させるための印刷指示を出力する。また、印刷指示手段２４２は、各曜日ごとに異なるドットパターンの座標範囲が割り当てられた座標定義情報（図１５参照）に基づいて、時間割表の曜日の部分に、各曜日ごとに割り当てられたドットパターンを印刷させるための印刷指示を出力する。
【０１０６】
更に、第２実施形態では、処理手段２４の関連付け手段２４７は、入力画面によって各曜日の各時限ごとに入力された科目を、それぞれ、座標定義情報における各曜日の各時限ごとに割り当てられたドットパターンに対して関連付けて、記憶手段２５に記憶させる。例えば、関連付け手段２４７は、図１６（ｂ）に示すように、月曜における各時限について入力された科目を、月曜における各時限のそれぞれに割り当てられたドットパターンの座標範囲に対して関連付けて登録する。関連付け手段２４７は、他の曜日（火曜〜金曜）についても同様にして、ドットパターンの座標範囲に対して科目を関連付ける。判定手段２４３は、このような関連付けが行われた座標定義情報を参照することで、電子ペン１によって時間割表に記入された曜日及び時限を特定して、当該曜日及び当該時限に関連付けられた科目を特定する。
【０１０７】
［表示画面例］
次に、図１７及び図１８を参照して、第２実施形態において表示される画面例を提示する。
【０１０８】
図１７は、電子ペン１によって時間割表３ａの科目がタップされた際に表示される画面例を示している。図１７（ａ）は時間割表３ａの一例を示し、図１７（ｂ）はコンピュータ装置２ａの表示手段２６に表示される画面例を示している。
【０１０９】
時間割表３ａは、上記した印刷指示手段２４２からの印刷指示によって作成されたものである。具体的には、時間割表３ａには、各曜日の各時限ごとに入力画面を用いてユーザによって入力された科目名が印刷される共に、各曜日の各時限ごとに異なる座標範囲のドットパターンが印刷される。具体的には、枠線で示された矩形の内部に、科目名が印刷されると共に、該当する曜日及び時限に割り当てられた座標範囲のドットパターンが印刷される。加えて、時間割表３ａには、曜日の部分（曜日に対応する枠線で示された矩形の内部）に、各々で異なる座標範囲のドットパターンが印刷される。ドットパターンは、赤外線を吸収するカーボンを含んだインクにより印刷され、科目名や曜日や時限などを示す文字及び枠線は、赤外域に吸収性を持たないインクにより印刷される。なお、ユーザによる科目の入力方法は、第１実施形態で示した方法と同様である（例えば図７参照）。
【０１１０】
ここでは、図１７（ａ）に示すように、ユーザが電子ペン１によって「現社（現代社会）」の科目をタップした場合を例示する。具体的には、水曜の５限に行われる「現社」がタップされたものとする。この場合には、処理手段２４の判定手段２４３は、電子ペン１によってタップされた曜日及び時限が水曜及び５限であると特定すると共に、水曜及び５限に行われる科目が「現社」であると特定する。判定手段２４３は、関連付け手段２４７による関連付けが行われた後の座標定義情報（各曜日の各時限ごとに、ドットパターンの座標範囲と科目とが対応付けられた情報）に基づいて、このように科目、曜日及び時限を特定する。
【０１１１】
そして、ストローク表示手段２４５は、「現社」のファイルを開き、図１７（ｂ）に示すように、当該ファイルに記憶された手書きストロークを表示手段２６に表示させる。具体的には、ストローク表示手段２４５は、判定手段２４３によって特定された水曜の５限の「現社」に関し、今まで水曜の５限に行われた「現社」の講義の中で、最新の講義で記入された手書きストロークを表示させる。より詳しくは、ストローク表示手段２４５は、「現社」の最新の講義で手書きストロークが記入されたページにおいて、最初のページを表示手段２６に表示させる。例えば、記入情報に含まれる時刻情報（タイムスタンプ）やコンピュータ装置２ａ内のクロックに関する情報などに対応付けて手書きストロークを記憶しておけば、ストローク表示手段２４５は、そのような情報に基づいて、最新の講義で記入された手書きストロークを特定することができる。この場合、各時限の講義が行われる時間帯を考慮することが好ましい。なお、上記のように最初のページを表示させることに限定はされず、最終ページなどを表示させても良い。
【０１１２】
なお、時間割表３ａの曜日及び時限が同じ科目が電子ペン１によって連続してタップされた場合、手書きストロークを過去に遡って表示させても良い。つまり、ストローク表示手段２４５は、曜日及び時限が同じ科目がタップされるごとに、その曜日及び時限に行われた講義を過去に遡っていき（先週の講義、先々週の講義、…）、その講義で記入された手書きストロークを表示させることができる。
【０１１３】
図１８は、電子ペン１によって時間割表３ａの曜日がタップされた際に表示される画面例を示している。図１８（ａ）は時間割表３ａの一例を示し、図１８（ｂ）はコンピュータ装置２ａの表示手段２６に表示される画面例を示している。
【０１１４】
ここでは、図１８（ａ）に示すように、ユーザが電子ペン１によって「金曜」の部分をタップした場合を例示する。この場合には、処理手段２４の判定手段２４３は、各曜日ごとにドットパターンの座標範囲が対応付けられた座標定義情報（図１５参照）を参照することで、電子ペン１によってタップされた曜日が「金曜」であると特定する。そして、ストローク表示手段２４５は、「金曜」に行われる全ての科目についてのファイルを開き、図１８（ｂ）に示すように、それらのファイルに記憶された手書きストロークを並べて表示手段２６に表示させる。つまり、ストローク表示手段２４５は、各科目の手書きストロークをポップアップ表示させる。具体的には、ストローク表示手段２４５は、「金曜」に行われる全ての科目について、手書きストロークが記入されたページの中の最終ページを表示手段２６に表示させる。なお、上記のように最終ページを表示させることに限定はされず、最初のページなどを表示させても良い。
【０１１５】
ここで、図１８（ｂ）に示すように表示された複数の科目の中から、ユーザが入力手段２１によって１つの科目を選択した場合、例えば表示された科目をマウスでクリックしたりタッチパネルでタッチ入力した場合、ストローク表示手段２４５は、その科目のページを全画面表示させる。
【０１１６】
また、図１８（ｂ）に示すように、ストローク表示手段２４５は、表示画面上縁部に、表示する科目のページを切り替えるボタン３１〜３４を表示する。
【０１１７】
ユーザが、ボタン３１をマウスでクリックしたりタッチパネルへのタッチ入力をしたりすると、ストローク表示手段２４５は、設定により、現在アクティブに表示されている科目のページにストロークが記憶された講義からみて前回の講義で記入されたページの最初のページ又は最終ページを記憶手段２５から読み出して、そのページを表示手段２６に切り替えて表示させる。
【０１１８】
ユーザが、ボタン３２をマウスでクリックしたりタッチパネルへのタッチ入力をしたりすると、ストローク表示手段２４５は、設定により、現在アクティブに表示されている科目のページにストロークが記憶された講義からみて一週間前の講義で記入されたページの最初のページ又は最終ページを記憶手段２５から読み出し、そのページを表示手段２６に切り替えて表示させる。
【０１１９】
ユーザが、ボタン３３をマウスでクリックしたりタッチパネルへのタッチ入力をしたりすると、ストローク表示手段２４５は、設定により、現在アクティブに表示されている科目のページにストロークが記憶された講義からみて次の講義で記入されたページの最初のページ又は最終ページを記憶手段２５から読み出し、そのページを表示手段２６に切り替えて表示させる。なお、ストローク表示手段２４５は、次の講義で記入されたページがないと判断した場合は、表示されたページを切り替えない。
【０１２０】
ユーザが、ボタン３３をマウスでクリックしたりタッチパネルへのタッチ入力をしたりすると、ストローク表示手段２４５は、設定により、現在アクティブに表示されている科目のページにストロークが記憶された講義からみて次の週の講義で記入されたページの最初のページ又は最終ページを記憶手段２５から読み出し、そのページを表示手段２６に切り替えて表示させる。なお、ストローク表示手段２４５は、次の週の講義で記入されたページがないと判断した場合は、表示されたページを切り替えない。
【０１２１】
［処理フロー］
次に、図１９を参照して、第２実施形態の情報処理システムによる処理フローについて説明する。図１９に示す処理フローは、電子ペン１により記入情報が生成されるごとに繰り返し実行される。なお、第１実施形態で示した処理フロー（図１３参照）と同様の処理については、その説明を適宜省略する。
【０１２２】
ステップＳ２０１の処理は、ステップＳ１０１の処理と同様である。ステップＳ２０２では、処理手段２４の判定手段２４３は、電子ペン１によって時間割表３ａの科目、曜日及びノート用紙４のいずれに記入されたかを判定する。具体的には、判定手段２４３は、記憶手段２５に記憶された座標定義情報（具体的には、ノート用紙４に割り当てられたドットパターンの座標範囲を示す座標定義情報、曜日、時限及び科目とドットパターンの座標範囲とを対応付けた座標定義情報、及び曜日とドットパターンの座標範囲とを対応付けた座標定義情報）を参照することで、電子ペン１によって時間割表３ａの科目、曜日及びノート用紙４のいずれに記入されたかを判定する。
【０１２３】
電子ペン１によって時間割表３ａの曜日に記入された場合（ステップＳ２０２：時間割表の曜日）、処理手段２４のストローク表示手段２４５は、判定手段２４３が特定した曜日に行われる全ての科目についてのファイルを開き、それらのファイルに記憶された手書きストロークを並べて表示手段２６に表示させる（ステップＳ２１５）。具体的には、ストローク表示手段２４５は、全ての科目について、手書きストロークが記入されたページの中の最終ページを表示手段２６に表示させる。
【０１２４】
他方で、電子ペン１によって時間割表３ａの科目に記入された場合（ステップＳ２０２：時間割表の科目）、ステップＳ１０２と同様に、判定手段２４３は、電子ペン１によってタップされた科目のファイルが記憶手段２５に記憶されているか否かを判定する（ステップＳ２０３）。電子ペン１によってタップされた科目のファイルが記憶されている場合（ステップＳ２０３；Ｙｅｓ）、ストローク表示手段２４５は、判定手段２４３によって特定された科目、曜日及び時限に対応する講義の中で、最新の講義で記入された手書きストロークを表示させる（ステップＳ２０４）。具体的には、ストローク表示手段２４５は、その最新の講義で手書きストロークが記入されたページにおいて、最初のページを表示手段２６に表示させる。
【０１２５】
ステップＳ２０５〜Ｓ２１４の処理は、それぞれ、上記したステップＳ１０５〜Ｓ１１４と同様であるため、その説明を省略する。
【０１２６】
［第２実施形態による作用効果］
以上説明した第２実施形態によれば、各曜日の各時限ごとに異なる座標範囲のドットパターンが形成された時間割表３ａを適切に作成することが可能となる。また、第２実施形態によれば、曜日の部分に、各々で異なる座標範囲のドットパターンが形成された時間割表３ａを適切に作成することが可能となる。このような時間割表３ａを用いることで、電子ペン１によって記入された手書きストロークを、科目だけでなく曜日や時限に対応付けて適切に記憶させることができる。よって、曜日や時限に応じた手書きストロークを適切に表示させることができる。
【０１２７】
＜変形例＞
上記では、科目名が形成された時間割表３、３ａを示したが、このような科目名の代わりに、複数の科目のそれぞれを示す絵柄（例えばアイコンなど）が形成された時間割表を用いても良い。
【０１２８】
また、図１８（ｂ）に示すボタン３１〜３４は、上記第２実施形態に示す機能とは異なる機能を持たせても良い。
【０１２９】
例えば、ユーザが、ボタン３１をマウスでクリックしたりタッチパネルへのタッチ入力をしたりすると、ストローク表示手段２４５が、設定により、現在表示されている曜日の一つ前の曜日に行われる全ての科目について、手書きストロークが記入されたページの中の最初のページ又は最終ページを表示手段２６に切り替えて表示させるようにしてもよい。
【０１３０】
また、ユーザが、ボタン３２をマウスでクリックしたりタッチパネルへのタッチ入力をしたりすると、ストローク表示手段２４５が、設定により、現在表示されている曜日の一週間前の同じ曜日に行われる全ての科目について、手書きストロークが記入されたページの中の最初のページ又は最終ページを表示手段２６に切り替えて表示させるようにしてもよい。
【０１３１】
また、ユーザが、ボタン３３をマウスでクリックしたりタッチパネルへのタッチ入力をしたりすると、ストローク表示手段２４５が、設定により、現在表示されている曜日の次の曜日に行われる全ての科目について、手書きストロークが記入されたページの中の最初のページ又は最終ページを表示手段２６に切り替えて表示させるようにしてもよい。
【０１３２】
また、ユーザが、ボタン３４をマウスでクリックしたりタッチパネルへのタッチ入力をしたりすると、ストローク表示手段２４５が、設定により、現在表示されている曜日の次の週の同じ曜日に行われる全ての科目について、手書きストロークが記入されたページの中の最初のページ又は最終ページを表示手段２６に切り替えて表示させるようにしてもよい。
【０１３３】
更に、上記第１及び第２実施形態において、電子ペンや、コード化パターン、記入情報の形式等は、アノト方式に限らなくとも良い。特に、科目や曜日を特定するためのコード化パターンは、座標を示すドットパターンに限られず、特定のコード値を示すコード化パターンを用いることもできる。
【符号の説明】
【０１３４】
１…電子ペン
２、２ａ…コンピュータ装置
３、３ａ…時間割表
４…ノート用紙
６…多穴ファイル
７…プリンタ
２１…入力手段
２２…通信手段
２４…処理手段
２５…記憶手段
２６…表示手段
２７…印刷出力手段
【図２】
0005794052.tif 000002
【図３】
0005794052.tif 000003
【図４】
0005794052.tif 000004
【図５】
0005794052.tif 000005
【図６】
0005794052.tif 000006
【図７】
0005794052.tif 000007
【図８】
0005794052.tif 000008
【図９】
0005794052.tif 000009
【図１０】
0005794052.tif 000010
【図１１】
0005794052.tif 000011
【図１２】
0005794052.tif 000012
【図１３】
0005794052.tif 000013
【図１４】
0005794052.tif 000014
【図１５】
0005794052.tif 000015
【図１６】
0005794052.tif 000016
【図１７】
0005794052.tif 000017
【図１８】
0005794052.tif 000018
【図１９】
0005794052.tif 000019
【図１】
0005794052.tif 000020